(57)【要約】【課題】回転ゴマ本体の不規則な回転振動を低減して安定した回転を得ることができるぶんぶんゴマを提供する。【解決手段】回転ゴマ本体２の両側にそれぞれループ状の引き紐１１が取り付けられたぶんぶんゴマにおいて、引き紐１１の回転ゴマ本体２に対する取付け部１１ａが集束状態になって回転ゴマ本体２の回転軸Ｃに固定されている。【選択図】図１
2017148181.tif 000002
【特許請求の範囲】
【請求項１】
回転ゴマ本体の両側にそれぞれループ状の引き紐が取り付けられたぶんぶんゴマにおいて、前記引き紐の前記回転ゴマ本体に対する取付け部が集束状態になって前記回転ゴマ本体の回転軸に固定されているぶんぶんゴマ。
【請求項２】
前記回転ゴマ本体を構成する回転盤が厚紙からなり、前記取付け部を挿入した状態でカシメ固定している金属管片を有し、この金属管片が前記回転盤の回転軸に設けられた嵌合穴に接着固定されている請求項１に記載のぶんぶんゴマ。
【請求項３】
前記回転ゴマ本体が、対向する２枚の回転盤と、これら回転盤の間を連結する表示板とから構成され、前記表示板が前記回転軸に平行な表示面を有し、この表示板の回転軸と前記回転盤の回転軸とが共軸になっている請求項１又は２に記載のぶんぶんゴマ。
【請求項４】
前記表示板と前記２枚の回転盤との共通の回転軸に貫通路を有し、この貫通路に前記引き紐が挿入されていて、この引き紐が前記回転盤の少なくとも一方に固定されている請求項３に記載のぶんぶんゴマ。
【請求項５】
前記回転盤に、前記回転軸を中心とする同一の周方向に複数の重錘が等間隔に配置されている、または前記回転軸を中心にしてリング状の重錘が配置されている請求項２〜４のいずれかに記載のぶんぶんゴマ。
【請求項６】
前記表示板が２枚の重ね合わされた合板で構成され、前記２枚の合板の重ね合わせ面に前記引き紐が通る貫通路を有する請求項３〜５のいずれかに記載のぶんぶんゴマ。
【請求項７】
文字又は図模様が施された表示シートが前記表示板の表面に巻き付けられている請求項３〜６のいずれかに記載のぶんぶんゴマ。
【請求項８】
前記表示シートが前記表示板から離反する舌状片を有し、この舌状片を前記回転軸に対応する位置を支点に交互に倒伏可能に構成した請求項７に記載のぶんぶんゴマ。
【請求項９】
前記舌状片の自由端側に重錘が取り付けられている請求項８に記載のぶんぶんゴマ。
【発明の詳細な説明】
【技術分野】
【０００１】
本発明はぶんぶんゴマに関し、さらに詳しくは、回転ゴマ本体の不規則な回転振動を低減して安定した回転を得ることができるぶんぶんゴマに関するものである。
【背景技術】
【０００２】
ぶんぶんゴマは、厚紙などから切り出した回転盤に、その中心を挟んで離間した一対の貫通穴を設け、この一対の貫通穴に紐を往復折り返すように通している。そして、この紐の両端部どうしを連結することにより、回転盤の両側にループ状の引き紐を形成して構成されている。
【０００３】
ぶんぶんゴマを使用する際には、両側の引き紐を把持して回転盤に複数回の旋回運動を与えることで、それぞれの引き紐に互いに逆方向の撚りを蓄積させる。次いで、それぞれの引き紐を互いに両外側方向に引っ張ると、蓄積された撚りが戻されるときのトルクにより回転盤が回転する。この回転は、回転盤の慣性により撚りが無くなった後も続き、引き紐を収縮させながら逆方向に撚りを蓄積させる。再び、それぞれの引き紐を引っ張ると、回転盤は逆方向に回転しながら上記同様に引き紐の伸び縮みを繰り返す。以後同様にして回転盤の回転が交互に繰り返される。
【０００４】
このようなぶんぶんゴマの応用例として、回転盤の回転運動を利用して電磁誘導発電の仕組みを学習することを目的とした発電体験装置が提案されている（特許文献１、２、３参照）。しかし、従来のぶんぶんゴマは、回転盤が回転中に不規則な振動を発生し易く、回転が安定しないという欠点がある。
【０００５】
本発明者らの検討によれば、回転が安定しない原因は、引き紐が回転盤を支持する構造にあるとの知見を得た。上述したように回転盤の中心に対して一対の貫通穴を設け、その貫通穴に引き紐を「へ」の字状に懸架させて、貫通穴を引き紐の強い張力で回転軸側に押圧することで回転盤の姿勢を拘束している。したがって、回転盤が回転軸に対して僅かでも傾斜した姿勢で引き紐に拘束されると、その姿勢が解除されずに不規則な回転振動を発生する原因になっていたのである。
【先行技術文献】
【特許文献】
【０００６】
【特許文献１】実用新案登録第３１２３００１号公報
【特許文献２】実用新案登録第３１２３４９３号公報
【特許文献３】実用新案登録第３１６６６９４号公報
【発明の概要】
【発明が解決しようとする課題】
【０００７】
本発明の目的は、従来のぶんぶんゴマが有する上述の欠点を解消し、回転ゴマ本体の不規則な回転振動を低減して安定な回転を得ることができるぶんぶんゴマを提供することにある。
【課題を解決するための手段】
【０００８】
上記目的を達成する本発明のぶんぶんゴマは、回転ゴマ本体の両側にそれぞれループ状の引き紐が取り付けられたぶんぶんゴマにおいて、前記引き紐の前記回転ゴマ本体に対する取付け部が集束状態になって前記回転ゴマ本体の回転軸に固定されていることを特徴とする。
【発明の効果】
【０００９】
本発明のぶんぶんゴマによれば、引き紐の取付け部が集束状態で回転ゴマ本体の回転軸に固定されているので、引き紐を引っ張る当初に回転ゴマ本体が回転軸に対して若干傾いた姿勢であっても、回転ゴマ本体が回転した際の遠心力によって回転軸に直交する姿勢に修正され、回転ゴマ本体の不規則な回転振動が低減する。これにより回転ゴマ本体は、回転ムラが抑制されて円滑に安定して回転する。
【図面の簡単な説明】
【００１０】
【図１】本発明のぶんぶんゴマを例示する斜視図である。
【図２】図１の表示板の構造を例示する説明図である。
【図３】図１の止め具の周辺を断面視で例示する説明図である。
【図４】図１の引き紐の撚り状態を例示する説明図である。
【図５】ぶんぶんゴマの使用状態を例示する説明図である。
【図６】ぶんぶんゴマの別の使用状態を例示する説明図である。
【図７】図７（ａ）は回転盤の構造を例示する平面図、図７（ｂ）は断面図である。
【図８】図７の重錘の変形例を例示する平面図である。
【図９】図９（ａ）は他の実施形態の止め具を使用したぶんぶんゴマの要部を示す断面図、図９（ｂ）は図９（ａ）のＸ−Ｘ矢視図である。
【図１０】図９で使用されている止め具の斜視図である。
【図１１】図１１（ａ）は表示シートを巻き付けた表示板、図１１（ｂ）は表示シートを例示する説明図である。
【図１２】図１２（ａ）は図１１の表示シートの展開図、図１２（ｂ）はＡ面とＢ面の合成画像を例示する説明図である。
【図１３】図１３（ａ）は別の表示シートの展開図、図１３（ｂ）はＡ面とＢ面の合成画像を例示する説明図である。
【図１４】図１４（ａ）はさらに別の表示シートの展開図、図１４（ｂ）はＡ面とＢ面の合成画像を例示する説明図である。
【図１５】表示シートの変形例を斜視で示す説明図である。
【図１６】図１６（ａ）は図１５の表示シートを巻き付けた表示板をＳ方向に回転させた状態を断面視で例示し、図１６（ｂ）はＢ１面の表示を例示する説明図である。
【図１７】図１７（ａ）は図１５の表示シートを巻き付けた表示板をＲ方向に回転させた状態を断面視で例示し、図１７（ｂ）はＢ２面の表示を例示する説明図である。
【発明を実施するための形態】
【００１１】
以下、本発明のぶんぶんゴマを図に示した実施形態に基づいて説明する。
【００１２】
図１〜図３に例示する本発明のぶんぶんゴマ１は、回転ゴマ本体２の両側にそれぞれループ状の引き紐１１が取り付けられている。回転ゴマ本体２は、対向する２枚の円形の回転盤３と、これら回転盤３を連結している表示板５とを備えている。回転ゴマ本体２は、回転盤３の中心を通る回転軸Ｃを中心にして回転する。これら回転盤３や表示板５には、材料として段ボールなどの厚紙が使用されるが、樹脂板や木材板などを使用してもよい。
【００１３】
表示板５は回転軸Ｃに平行な四角形状の表示面６を有している。図２に例示するように、この実施形態では表示板５は２枚の合板５ａを重ね合わせて構成されている。それぞれの合板５ｂの両端部が直角に折り曲げられてフランジ５ｂが形成され、フランジ５ｂは回転盤３に接合される。表示板５の回転軸Ｃは、回転盤３の回転軸Ｃと同じ位置であり共軸になっている。
【００１４】
ぶんぶんゴマ１は、表示板５とそれぞれの回転盤３との共通の回転軸Ｃの位置に、互いを連通する貫通路９を有している。表示板５では、合板５ａの重ね合わせ面の幅方向中央に貫通路９が延在している。それぞれの回転盤３の外側表面には止め具１０が突設されていて、それぞれの止め具１０にも貫通路９が連通している。止め具１０は、接着剤１２または両面接着テープにより回転盤３に固定されるが、必要によりビスを併用してもよい。
【００１５】
貫通路９にはエンドレスに往復する引き紐１１が集束状態で挿入されていて、回転ゴマ本体２の両側に延長した引き紐１１の部分がループ状になっている。集束状態の引き紐１１は接着剤１２によって止め具１０に固定されている。即ち、引き紐１１の止め具１０の貫通路９に挿入されている部分が取付け部１１ａとして、回転ゴマ本体２の回転軸Ｃに固定されている。
【００１６】
図４（ａ）に例示するように、止め具１０はそれぞれ前後一対の回転盤３に設けて、引き紐１１をそれぞれの回転盤３に固定することが好ましいが、図４（ｂ）に例示するように一方の回転盤３のみに止め具１０を設けて、引き紐１１を一方の回転盤３のみに固定することもできる。
【００１７】
図４（ａ）及び図４（ｂ）のいずれの場合も、回転ゴマ本体２の両外側に延長する引き紐１１，１１に、互いに反対方向の撚りが付与される。しかし、止め具１０が両方の回転盤３，３に設けられた図４（ａ）の場合は、二つの回転盤３，３間に延在する引き紐１１には撚りが掛からないのに対して、止め具１０が片方の回転盤３だけに設けられた図４（ｂ）の場合は、止め具１０を設けていない回転盤３側の引き紐１１に掛けられた撚りが、止め具１０を設けた回転盤３にまで延長することになる。
【００１８】
止め具１０としては、上述したフランジ付き成型体のほか、図１０に例示するような長円形断面の金属管片を使用することもできる。図９に示すように、ループ状に折り返した２本の引き紐１１を集束状態のまま金属管片の止め具１０に挿通し、さらに止め具１０を上下から押し潰すようにカシメ固定する。次いで、引き紐１１をカシメ固定した止め具１０を、回転盤３の回転軸Ｃの部分に長円形に開口させた貫通路９に、接着剤１２を介して接着固定すればよく、簡単に取り付けることができる。特に回転盤３が厚紙製の場合には、引き紐１１の張力により貫通路９が破損しやすい問題があるが、その問題を解消することができる。金属管片の金属は、アルミニウム、銅、亜鉛、軟鉄などの変形加工しやすいものがよい。
【００１９】
ぶんぶんゴマの操作方法は、従来と同じ方法でよい。回転ゴマ本体２の両側の引き紐１１を両手に持ち、回転ゴマ本体２を旋回運動させることにより、予めそれぞれの引き紐１１に互いに逆方向の撚りを蓄積させる。次いで、それぞれの引き紐１１を互いに回転ゴマ本体２の両外側方向に引っ張ると、蓄積された撚りが戻されるときのトルクにより回転盤３が回転する。この回転は、回転盤３の慣性により撚りが無くなった後も続き、引き紐１１を収縮させながら逆方向に撚りを蓄積させる。再び、両側の引き紐１１を引っ張ると、回転盤３は逆方向に回転しながら上記同様に引き紐１１の伸び縮みを繰り返す。以後同様にして回転盤３の回転が交互に繰り返される。このようなぶんぶんゴマの操作は、引き紐１１を上下方向に引いたり、縮めたりしても実施することができる。
【００２０】
ぶんぶんゴマ１の操作は、図５や図６に例示するように、片方の引き紐１１を支持フレーム１３の係止具１４に係止して、他方の引き紐１１を引いたり、緩めたりしてもよい。図５の例は、回転軸Ｃの方向を水平方向にして横引きする場合であり、図６の例は、回転軸Ｃの方向を鉛直方向にして縦引きする場合である。或いは、回転軸Ｃの方向を傾斜させて、引き紐１１を斜めに引くこともできる。
【００２１】
本発明のぶんぶんゴマ１では、引き紐１１の回転ゴマ本体２に対する取付け部１１ａが集束状態になって回転ゴマ本体２の回転軸Ｃに固定されているので、引き紐１１を引っ張る当初に回転ゴマ本体２が回転軸Ｃに対して若干傾いた姿勢であっても、回転ゴマ本体２が回転した際の遠心力によって回転軸Ｃに直交する姿勢に修正される。これに伴って、回転ゴマ本体２の不規則な回転振動が低減し、回転ゴマ本体２は、回転ムラが抑制されて円滑に安定回転する。
【００２２】
それぞれの回転盤３には図７に例示するように、回転軸Ｃを中心とする同一半径の円周方向に等間隔に複数の同じ仕様の重錘４ａを配置するとよい。図７では円形の４個の重錘４ａが配置されているが、図８に例示するように、リング状の重錘４ｂを、そのリング中心を回転軸Ｃにして配置してもよい。このように重錘４ａ、４ｂを配置することで、回転盤３の慣性力が大きくなるので、回転ゴマ本体２の不規則な回転振動が一段と少なくなって、滑らかな回転にすることができる。図８に例示する重錘４ｂを配置した場合、回転ゴマ本体２の回転による遠心力が過大になっても、重錘４ｂには引き紐１１が挿通しているので回転盤３から飛散する不具合が生じない。
【００２３】
表示板５の表示面６には文字や図模様などが表示され、その表示が回転ゴマ本体２の回転中に確認できる。文字や図模様などの表示は、表示面６に直接表示してもよいが、図１１〜図１７に例示するように、文字や図模様などの表示が施された表示シート７を表示板５に巻き付けて、間接的に表示してもよい。表示シート７は任意に交換ができるため、多種類を用意することによって多様な表示を行うことができる。表示シート７の材料には、紙、樹脂フィルム、布などが好ましく使用される。
【００２４】
図１１（ａ）は、表示板５に表示シート７を周方向に巻き付けた状態を示している。この表示シート７は、図１２（ａ）に示すのりしろ部分７ｂどうしを接合することで図１１（ｂ）に示すように筒状にして表示板５に装着されている。表示シート７のＡ面とＢ面には異なる文字が記載され、これを表示板５に巻き付けると、表示板５の裏面側の表示面６にＡ面が、表示板５の表面側の表示面６にＢ面が配置される。ぶんぶんゴマ１を操作して表示板５を回転軸Ｃを中心に回転させると、図１２（ｂ）に示すように、回転状態の表示板５の表示面６には、Ａ面の文字とＢ面の文字とが合成された文字が現れる。
【００２５】
図１３（ａ）の表示シート７には、Ａ面とＢ面とに意味不明の記号らしきものが記載されている。この表示シート７を表示板５に巻き付けて表示板５を回転させる。すると、回転状態の表示板５の表示面６には、図１３（ｂ）に示すようにＡ面の記号とＢ面の記号とが合成された通常の文字が現れる。
【００２６】
図１４（ａ）の表示シート７には、Ａ面に小鳥、Ｂ面に鳥かごが描かれている。この表示シート７を表示板５に巻き付けて回転させる。すると、回転状態の表示板５の表示面６には、図１４（ｂ）に示すようにＡ面の小鳥とＢ面の鳥かごとが合成されて、鳥かごに小鳥が入った状態の絵図が現れる。
【００２７】
図１５に示す表示シート７は、表示板５に巻き付けた際に、表示シート７の一部が相互の貼合わせ部から離反する舌状片７ａを有している。表示板５が回転軸Ｃを中心に交互に回転方向を変えて回転すると、舌状片７ａが回転軸Ｃに対応した位置を支点に、回転方向と反対方向に倒伏して、表示面６（Ｂ面）にはＢ１面とＢ２面とが交互に表れる。
【００２８】
図１６、１７は、表示板５に図１５に例示した舌状片７ａを有する表示シート７を装着した場合の使用例を示している。図１６（ａ）に例示するように、表示板５がＳ方向に回転すると、舌状片７ａがＳ方向と反対方向に倒伏して、図１６（ｂ）に例示するようにＢ１面が表われる。図１７（ａ）に例示するように、表示板５が逆のＲ方向に回転すると、舌状片７ａがＲ方向と反対方向に倒伏して図１７（ｂ）に例示するようにＢ２面が表われる。したがって、表示シート７のＢ１面に図１６（ｂ）の図を施し、Ｂ２面に図１７（ｂ）の図が施していると、表示板５に現れる回転画像が回転方向の切り替わる度に図１６（ｂ）の画像と図１７（ｂ）の画像とに交互に切り替わる。表示板５の表示面６（Ｂ面）にはシーソーの両端が交互に上下に切り替わる状態が現れる。
【００２９】
舌状片７ａの自由端側にはテープ状又は線状の重錘８を回転軸Ｃと平行になるように取り付けるとよい。これにより、上記においてＢ１面とＢ２面との切換え動作を一層シャープに行うことができる。
【００３０】
上述したぶんぶんゴマ１は、文字遊びや絵遊び用の玩具であるが、風切り音を楽しむ風遊びの玩具に利用することもできる。また、回転盤３に笛を取り付ければ、音遊びの玩具になり、複数の異なる色を着色すれば、色の変化を楽しむ色遊びの玩具にすることもできる。
【００３１】
本発明のぶんぶんゴマ１では、回転ゴマ本体２に回転ムラが生じ難いので、表示面６上の文字や図模様がブレて見難くなるようなことはなく、ハッキリと明瞭に文字や図模様を確認することができる。
【００３２】
上述した実施形態では、回転ゴマ本体２が２枚の回転盤３の間に表示板６を連結させて構成されたものを例示した。しかし、本発明に使用される回転ゴマ本体はこれに限定されるものではなく、１枚の回転盤３だけで構成されたものであってもよい。
【符号の説明】
【００３３】
１  ぶんぶんゴマ
２  回転ゴマ本体
３  回転盤
４ａ、４ｂ  重錘
５  表示板
５ａ  合板
５ｂ  フランジ
６  表示面
７  表示シート
７ａ  舌状片
７ｂ  のりしろ部分
８  重錘
９  貫通路
１０  止め具
１１  引き紐
１１ａ  取付け部
１２  接着剤
１３  支持フレーム
１４  係止具
Ｃ  回転軸
【図１】
2017148181.tif 000003
【図２】
2017148181.tif 000004
【図３】
2017148181.tif 000005
【図４】
2017148181.tif 000006
【図５】
2017148181.tif 000007
【図６】
2017148181.tif 000008
【図７】
2017148181.tif 000009
【図８】
2017148181.tif 000010
【図９】
2017148181.tif 000011
【図１０】
2017148181.tif 000012
【図１１】
2017148181.tif 000013
【図１２】
2017148181.tif 000014
【図１３】
2017148181.tif 000015
【図１４】
2017148181.tif 000016
【図１５】
2017148181.tif 000017
【図１６】
2017148181.tif 000018
【図１７】
2017148181.tif 000019